(57)【要約】【課題】座部および背もたれ部に取り付けられるクッション板を備え、かつ積み重ね可能に構成された椅子において、クッション板の管理を容易にするとともに、取り扱いや使い勝手を良好にする。【解決手段】座部１１、座部１１を支持する脚部１２、および座部１１の後端から立設させられた背もたれ部１３を有する椅子本体１と、座部１１および背もたれ部１３に対して着脱可能に取り付けられるクッション板２とを備え、椅子本体１が上下に積み重ね可能に構成された椅子Ａであって、座部１１および背もたれ部１３には、それぞれ、厚さ方向に貫通する複数の貫通孔１１ｂ，１３２ａが形成されており、クッション板２は、複数ずつの貫通孔１１ｂ，１３２ａのうちの２つ以上に対して嵌挿されうる突出部２ｄが一方の面から厚さ方向に突出形成されていることにより、座部１１および背もたれ部１３のいずれに対しても共通して取り付け可能とされている。【選択図】図４
2010142444.tif 000002
【特許請求の範囲】
【請求項１】
座部、この座部を支持する脚部、および上記座部の後端から立設させられた背もたれ部を有する椅子本体と、上記座部および背もたれ部に対して着脱可能に取り付けられるクッション板とを備え、上記椅子本体が上下に積み重ね可能に構成された椅子であって、
上記座部および背もたれ部には、それぞれ、厚さ方向に貫通する複数の貫通孔が形成されており、
上記クッション板は、上記複数の貫通孔のうちの少なくとも２つに対して嵌挿されうる複数の突出部が一方の面から厚さ方向に突出形成されていることにより、上記座部および背もたれ部のいずれに対しても共通して取り付け可能とされていることを特徴とする、椅子。
【請求項２】
上記クッション板は弾性材料によって一体形成されており、
上記突出部の先端には、上記貫通孔よりも外形寸法が大である鍔部が形成されている、請求項１に記載の椅子。
【請求項３】
上記クッション板は、その外周縁が円形とされているとともに、上記座部および背もたれ部のいずれに対しても９０度回転変位した状態ごとに取り付け可能とされている、請求項２に記載の椅子。
【請求項４】
上記座部および背もたれ部における複数ずつの上記貫通孔は同様の配置とされている一方、
上記クッション板は、上記複数の突出部が形成された面とは反対側の面において上記複数ずつの上記貫通孔と同様の配置とされた複数の凹部が形成されており、
上記複数の突出部は、それぞれ、上記複数の凹部のいずれかと同軸状に形成されている、請求項３に記載の椅子。
【請求項５】
上記座部および／または上記背もたれ部に支持された肘掛け部をさらに備える、請求項１ないし４のいずれかに記載の椅子。
【請求項６】
上記肘掛け部には、所定の垂直軸を中心として回動可能に支持されるテーブルが着脱可能に取付けられている、請求項５に記載の椅子。
【請求項７】
上記テーブルは、所定の使用位置と、その使用位置から上記垂直軸周りに所定角度変位した不使用位置との間を回動しうるように構成されている、請求項６に記載の椅子。
【請求項８】
上記肘掛け部は、上方に向く第１および第２の開口を有する一方、
上記テーブルは、下方に延出し、かつ上記第１および第２の開口に嵌挿しうる第１および第２の延出片を有するとともに、上記第１の延出片が上記第１の開口に嵌挿された状態において上記肘掛け部に対して上記垂直軸周りに回動可能とされており、上記第２の延出片が上記第２の開口に嵌挿させられた状態において上記使用位置をとる、請求項７に記載の椅子。
【請求項９】
上記第２の延出片は、上記テーブルが上記使用位置より上方に変位した状態において上記肘掛け部の上面に当接しつつ上記肘掛け部に対する上記テーブルの回動を許容する回動許容部と、この回動許容部よりも下方に延出し、かつ上記第２の開口の内面と当接して上記テーブルの回動を規制する回動規制部と、を有しており、
上記テーブルは、上記回動規制部が上記第２の開口の内面に当接した状態において上記不使用位置をとる、請求項８に記載の椅子。
【発明の詳細な説明】
【技術分野】
【０００１】
本発明は、椅子に関する。
【背景技術】
【０００２】
人が腰掛けるための椅子としては、収納時の省スペース化などを考慮して、上下に積み重ね可能に構成されたものがある（たとえば、特許文献１を参照）。特許文献１に記載されている椅子は、座部（座板１）および背もたれ部（背板２）のそれぞれにクッション板（座クッション体１０と背クッション体１１）が取り付けられている。座部の下面には、積み重ねる際に直下の椅子に対する位置ずれを防ぐための緩衝体が取り付けられており、積み重ね時の安定化が図られている。
【０００３】
しかしながら、特許文献１に記載の椅子においては、クッション板は、座部および背もたれ部のそれぞれに対して、接着剤や面ファスナーなどによって取り付けられている。かかる構成では、クッション板を取り付ける際の位置決めを適確に行うことは難しく、その一方でクッション板を取り外す際にも困難をともなう場合がある。また、特許文献１に記載の椅子において、座部および背もたれ部に取り付けられるクッション板は、座部および背もたれ部のそれぞれの形状に対応させて、異なる形態とされている。このため、たとえば、製造時には２種類のクッション板を成形する必要があるとともに、これらクッション板を別個に管理する必要がある。クッション板を交換部品としてストックしておく場合にも２種類のクッション板を別個に管理する必要がある。
【０００４】
【特許文献１】特開２００４−１８０９０７号公報
【発明の開示】
【発明が解決しようとする課題】
【０００５】
本発明は、このような事情のもとで考え出されたものであって、座部および背もたれ部に取り付けられるクッション板を備え、かつ積み重ね可能に構成された椅子において、クッション板の管理を容易にするとともに、取り扱いや使い勝手を良好にすることを課題としている。
【課題を解決するための手段】
【０００６】
上記の課題を解決するため、本発明では、次の技術的手段を講じている。
【０００７】
本発明によって提供される椅子は、座部、この座部を支持する脚部、および上記座部の後端から立設させられた背もたれ部を有する椅子本体と、上記座部および背もたれ部に対して着脱可能に取り付けられるクッション板とを備え、上記椅子本体が上下に積み重ね可能に構成された椅子であって、上記座部および背もたれ部には、それぞれ、厚さ方向に貫通する複数の貫通孔が形成されており、上記クッション板は、上記複数の貫通孔のうちの少なくとも２つに対して嵌挿されうる複数の突出部が一方の面から厚さ方向に突出形成されていることにより、上記座部および背もたれ部のいずれに対しても共通して取り付け可能とされていることを特徴としている。
【０００８】
本発明に係る椅子においては、着脱可能に取り付けられるクッション板は、座部および背もたれ部に対して共通のものが用いられる。このため、座部および背もたれ部に取り付けられ、かつ分離可能なクッション板として、１種類のものだけを用いればよい。したがって、上記構成の椅子によれば、クッション板の管理が容易であり、取り扱い易いものとなる。
【０００９】
また、上記構成の椅子においては、座部および背もたれ部に対するクッション板の取り付けは、座部および背もたれ部に形成された複数ずつの貫通孔に対してクッション板の複数の突出部を嵌挿することによって行うことができる。したがって、クッション板の着脱は容易であるとともに、座部および背もたれ部に対するクッション板の位置決めについても適確に行うことができる。また、上記構成の椅子によれば、クッション板を取り外した状態で使用することもできる。この場合、上記複数の貫通孔を規則的に配置しておくことにより、デザイン性を高めることができ、見栄えを良くすることにも資する。
【００１０】
好ましい実施の形態においては、上記クッション板は弾性材料によって一体形成されており、上記突出部の先端には、上記貫通孔よりも外形寸法が大である鍔部が形成されている。
【００１１】
このような構成によれば、突出部が貫通孔から不当に抜け出すといった不都合が生じることはなく、クッション板の取り付け状態が安定する。
【００１２】
好ましい実施の形態においては、上記クッション板は、その外周縁が円形とされているとともに、上記座部および背もたれ部のいずれに対しても９０度回転変位した状態ごとに取り付け可能とされている。
【００１３】
このような構成によれば、座部または背もたれ部にクッション板を取り付ける際の位置合わせが容易であり、クッション板の取り付けをより簡単に行うことができる。
【００１４】
好ましい実施の形態においては、上記座部および背もたれ部における複数ずつの上記貫通孔は同様の配置とされている一方、上記クッション板は、上記複数の突出部が形成された面とは反対側の面において上記複数ずつの上記貫通孔と同様の配置とされた複数の凹部が形成されており、上記複数の突出部は、それぞれ、上記複数の凹部のいずれかと同軸状に形成されている。
【００１５】
クッション板を座部または背もたれ部に取り付ける際には、クッション板における突出部が形成された面は奥側に位置することにより、突出部や貫通孔は視認し辛くなる。これに対し、上記構成によれば、クッション板の手前側の面に形成された複数の凹部が座部または背もたれ部の複数の貫通孔に重なり合うようにクッション板を座部または背もたれ部に近接させると、突出部を貫通孔に嵌挿させることができる。したがって、かかる構成によれば、座部または背もたれ部にクッション板を取り付ける際の位置合わせがより容易になる。
【００１６】
好ましい実施の形態においては、上記座部および／または上記背もたれ部に支持された肘掛け部をさらに備える。
【００１７】
好ましい実施の形態においては、上記肘掛け部には、所定の垂直軸を中心として回動可能に支持されるテーブルが着脱可能に取付けられている。
【００１８】
このような構成によれば、必要なときにテーブルを肘掛け部に取り付けて使用することができる。
【００１９】
好ましい実施の形態においては、上記テーブルは、所定の使用位置と、その使用位置から上記垂直軸周りに所定角度変位した不使用位置との間を回動しうるように構成されている。
【００２０】
このような構成によれば、たとえば、会議や講習会などにおいて本発明に係る椅子を用いる場合には、回動可能なテーブルを座部の前方に位置させておくことにより、当該テーブル上に資料を置いたり、あるいはテーブルを用いて筆記作業を行うことが可能であり、広範な使用用途が期待できる。また、利用者が椅子から離れる際には、テーブルを座部の前方から退避した不使用位置にまで回動させておくことにより、支障なく離席ないし着席することができる。
【００２１】
好ましい実施の形態においては、上記肘掛け部は、上方に向く第１および第２の開口を有する一方、上記テーブルは、下方に延出し、かつ上記第１および第２の開口に嵌挿しうる第１および第２の延出片を有するとともに、上記第１の延出片が上記第１の開口に嵌挿された状態において上記肘掛け部に対して上記垂直軸周りに回動可能とされており、上記第２の延出片が上記第２の開口に嵌挿させられた状態において上記使用位置をとる。
【００２２】
このような構成によれば、テーブルは、第１の開口の中心に設定された垂直軸周りに回動しうる一方、使用位置においては、テーブルの自重によって第２の延出片が第２の開口に嵌挿することになり、肘掛け部に対するテーブルの位置決めが適確になされる。これにより、使用位置にあるテーブルが不当に回動するといった不都合を回避することができる。
【００２３】
好ましい実施の形態においては、上記第２の延出片は、上記テーブルが上記使用位置より上方に変位した状態において上記肘掛け部の上面に当接しつつ上記肘掛け部に対する上記テーブルの回動を許容する回動許容部と、この回動許容部よりも下方に延出し、かつ上記第２の開口の内面と当接して上記テーブルの回動を規制する回動規制部と、を有しており、上記テーブルは、上記回動規制部が上記第２の開口の内面に当接した状態において上記不使用位置をとる。
【００２４】
このような構成によれば、回動許容部よりも下方に延出する回動規制部が第２の開口の内側に臨む状態においてテーブルの回動が許容される一方、上記回動規制部が第２の開口の内面と当接することにより、テーブルの回動が規制されて当該テーブルが不使用位置をとる。したがって、かかる構成によれば、比較的簡単な構造によってテーブルの不使用位置を適切に規定することができる。
【００２５】
本発明のその他の特徴および利点は、添付図面を参照して以下に行う詳細な説明によって、より明らかとなろう。
【発明を実施するための最良の形態】
【００２６】
以下、本発明の好ましい実施の形態について、図面を参照して具体的に説明する。
【００２７】
図１は、本発明に係る椅子の一例を示す全体斜視図である。本実施形態の椅子Ａは、椅子本体１と、クッション板２と、テーブル３とを備えている。図１は、テーブル３が使用位置にある状態を表す。
【００２８】
椅子本体１は、座部１１と、この座部１１を支持する４本の脚部１２と、座部１１の後方端から立設させられた背もたれ部１３と、肘掛け部１４とを有し、所定の強度を有する樹脂により一体形成されたものである。
【００２９】
座部１１は、図１、図４または図５に表れているように、平面視において略矩形状とされており、上面部分には窪み１１ａが形成されている。窪み１１ａは、円形の外周縁を有し、かつ縦断面において中央に向かうにつれて下がるなだらかな円弧状とされている。座部１１には、窪み１１ａの内側において厚さ方向に貫通する複数（本実施形態では９個）の貫通孔１１ｂが形成されている。本実施形態では、これら貫通孔１１ｂは、同一サイズとされているとともに、縦横に３個ずつ一定間隔で直線状に配置されている。そして、複数の貫通孔１１ｂのうち中央に位置するものについては、窪み１１ａの外周縁をなす円の略中心に位置している。座部１１の下面には、下方に延びるリブ１１ｃが設けられている。このリブ１１ｃは、水平方向において窪み１１ａよりも外側に形成されている。
【００３０】
複数の脚部１２は、座部１１の４隅近傍を支持するように設けられている。各脚部１２は、横断面が略部分円筒形状とされるとともに、下端に向かうにつれて平面視において座部１１の中央から遠ざかるようにして少し傾斜させられている。
【００３１】
背もたれ部１３は、正面視において略一定幅を有する立ち上がり部１３１と、この立ち上がり部１３１の上方につながる背板部１３２とを備え、上方に向かうにつれて後方に変位するように少し傾斜させられている。背板部１３２は、周縁が略円形とされ、かつ断面において中央に向かうほど窪むなだらかな円弧状とされている（図４参照）。背板部１３２には、厚さ方向に貫通する複数（本実施形態では９個）の貫通孔１３２ａが形成されている。これら貫通孔１３２ａは、上記した座部１１の貫通孔１１ｂと同一サイズとされているとともに、縦横に３個ずつ一定間隔で直線状に並んでおり、上記貫通孔１１ｂと同様の配置とされている。そして、複数の貫通孔１３２ａのうち中央に位置するものについては、背板部１３２の周縁をなす円の略中心に位置している。背板部１３２の上部近傍には、厚さ方向に貫通する長孔１３２ｂと、後方に延出する延出部１３２ｃとが形成されており、これらの部分は、椅子本体１を持ち運ぶ際などに利用される。
【００３２】
肘掛け部１４は、上下方向に延びる支持部１４２と水平方向に延びる支持部１４１とを介して、座部１１および背もたれ部１３（背板部１３２）に支持されている。本実施形態では、肘掛け部１４は、座部１１の一方の側面（図２に表れている平面視において左側）の外方において前後方向に延びるように設けられており、当該肘掛け部１４の上面部分は略水平面とされている。肘掛け部１４には、上方に向けて開放する開口１４ａ，１４ｂが形成されている。本実施形態では、開口１４ａ，１４ｂは、それぞれ、円筒状とされており、所定の内径寸法および所定の上下寸法を有している。これら開口１４ａ，１４ｂは、詳細については後述するが、テーブル３を装着する際に利用する部分である。なお、テーブル３を装着しないときには、開口１４ａ，１４ｂに有底円筒状の受け皿を挿入することにより、カップホルダや灰皿として利用することが可能である。
【００３３】
なお、上記構成の椅子本体１は、テーブル３を装着しないときには、図６において仮想線で示すように、上下に積み重ねることが可能である。このとき、積み重ねた椅子本体１においては、座部１１に形成された下方に延びるリブ１１ｃ（図示せず）が、直下の椅子本体１の座部１１上面に当接している。これにより、椅子本体１は、クッション板２を装着したまま積み重ねることが可能となっている。
【００３４】
図１〜図４に示すように、クッション板２は、座部１１および背もたれ部１３のそれぞれに対して取り付けられている。具体的には、クッション板２は、図７に表れているように、平面状の上面２ａとなだらかな円弧状の下面２ｂとを有し、外周縁が円形とされている。クッション板２の上面２ａには、複数の凹部２ｃが形成されている。これら凹部２ｃは、座部１１および背もたれ部１３の複数ずつの貫通孔１１ｂ，１３２ａと同様の配置とされている。また、クッション板２の下面２ｂには、複数の突出部２ｄがクッション板２の厚さ方向に突出形成されている。
【００３５】
各突出部２ｄは、上記した複数の凹部２ｃのうち選択されたいずれか１つと対応しており、当該対応する凹部２ｃと同軸状に形成されている。本実施形態では、突出部２ｄは、９個の凹部２ｃのうち、４隅を除いた５個の凹部２ｃに対応するようにして設けられている。突出部２ｄの主要部分は、断面寸法が貫通孔１１ｂ，１３２ａよりも小とされている。その一方、突出部２ｄ（中央に位置するものを除く）の先端には、貫通孔１１ｂ，１３２ａよりも外形寸法が大とされた鍔部２ｅが形成されている。上記構成のクッション板２は、たとえば発泡ウレタンなどの弾性材料によって一体形成されている。
【００３６】
クッション板２の座部１１または背もたれ部１３への取り付けは、突出部２ｄを貫通孔１１ｂ（１３２ａ）に嵌挿することによって行う。このとき、クッション板を所定以上の力で押し込むと、鍔部２ｅは、弾性変形しながら貫通孔１１ｂ（１３２ａ）を通過し、図４の拡大図に表れているように、貫通孔１１ｂ（１３２ａ）の奥方段部に係止される。クッション板２を取り付けた状態においては、クッション板２の下面２ｂは、窪み１１ａ、あるいは背板部１３２に対して、略全体が当接している。クッション板２の取り外しは、当該クッション板２を所定以上の力で引き上げることによって行うことができる。
【００３７】
かかる構成により、クッション板２は、座部１１および背もたれ部１３のいずれに対しても共通して着脱可能に取り付けることができる。クッション板２において突出部２ｄの先端に鍔部２ｅが形成されていることにより、クッション板２装着時には、突出部２ｄが貫通孔１１ｂ（１３２ａ）から不当に抜け出すといった不都合が生じることはなく、クッション板２の取り付け状態が安定する。また、上述した貫通孔１１ｂ，１３２ａおよび突出部２ｄの配置の関係から理解できるように、クッション板２は、座部１１および背もたれ部１３のいずれに対しても、９０度回転変位した状態ごとに取り付け可能となっている。
【００３８】
図１〜図４に表れているように、テーブル３は、肘掛け部１４に取り付けられている。このテーブル３は、板状のプレート部３１と、プレート部３１の下面から下方に延出する延出片３２，３３とを有し、所定の強度を有する樹脂により一体形成されたものである。プレート部３１の上面は平面状とされている。
【００３９】
延出片３２は、肘掛け部１４の上記開口１４ａの内径寸法よりも僅かに小さな外形寸法を有する円筒状とされており、開口１４ａに嵌挿されている。延出片３２の先端には、半径方向外方に突出する爪３２１が形成されている。この爪３２１は、半径方向内方に弾性変形させることで開口１４ａを通過可能となっている。これにより、テーブル３は、肘掛け部１４に対して着脱可能に取り付けられている。プレート部３１の下面から爪３２１の係止部までの寸法は、開口１４ａを形成する円筒部分の上下寸法よりも大とされている。これにより、テーブル３は、装着時には、肘掛け部１４に対して垂直軸Ｏ１周りに回動可能、かつ所定範囲内で上下動可能となっている。
【００４０】
図８および図９に表れているように、延出片３３は、円筒部３３１と、この円筒部３３１よりも下方に延びる突片３３２とを有している。円筒部３３１は、その外形寸法が肘掛け部１４の上記開口１４ｂの内径寸法よりも僅かに小とされており、開口１４ｂに嵌挿可能となっている。突片３３２は、円筒部３３１の一部が延長された外側部分３３２ａと、この外側部分３３２ａに対して円筒部３３１の内側に向かい合う内側部分３３２ｂとを有している。この内側部分３３２ｂは、本発明でいう回動規制部である。
【００４１】
かかる構成により、延出片３３全体が肘掛け部１４の開口１４ｂに嵌挿されると、テーブル３は肘掛け部１４に対して回動しない。このとき、図２に表れているように、プレート部３１は座部１１の斜め前方に位置しており、テーブル３は使用位置にある。すなわち、当該使用位置にあるテーブル３は、自重によって延出片３３の円筒部３３１が開口１４ｂに嵌挿することになる。これにより、使用位置にあるテーブル３が不当に回動するといった不都合を回避することができる。
【００４２】
上記円筒部３３１は、突片３３２がつながっていない部位において、その先端部分が略水平とされた水平領域３３１ａを有している。この水平領域３３１ａは、本発明でいう回動許容部である。
【００４３】
使用位置にあるテーブル３を、水平領域３３１ａの先端部分が肘掛け部１４の上面よりも上位となるように持ち上げると、図１０に表れているように、テーブル３は、平面視において垂直軸Ｏ１を中心として時計回りに回動可能になり、水平領域３３１ａを肘掛け部１４の上面に当接させることができる。
【００４４】
この状態において、テーブル３を、垂直軸Ｏ１を中心として時計回りにさらに回動させると、図１１に表れているように、テーブル３は、上記の使用位置から所定角度変位したところで突片３３２の内側部分３３２ａが開口１４ｂ内面と当接することにより、その回動が規制される。このとき、テーブル３は不使用位置にある。このような構成から理解できるように、テーブル３は使用位置と不使用位置との間を回動可能となっている。
【００４５】
テーブル３を使用位置から不使用位置に回動させるときには、図１０を参照するとよくわかるように、水平領域３３１ａが肘掛け部１４の上面に摺接しながら、テーブル３は回動することになる。したがって、回動動作について適度な抵抗を付与することができるので、回動規制部である内側部分３３２ｂが開口１４ｂ内面に勢いよく衝突することを回避し、内側部分３３２ｂの破損を防止することができる。
【００４６】
テーブル３が不使用位置にあるときには、図１１からわかるように、延出片３３の水平領域３３１ａと肘掛け部１４の上面とが当接している。したがって、この状態では、テーブル３が不当に回動することは防止される。そして、この状態では、図１２に表れているように、テーブル３のプレート部３１は、座部１１の側方寄りに退避している。
【００４７】
次に、上記構成の椅子Ａの作用について説明する。
【００４８】
本実施形態の椅子Ａにおいては、着脱可能に取り付けられるクッション板２は、座部１１および背もたれ部１３に対して共通のものが用いられる。このため、座部１１および背もたれ部１３に取り付けられ、かつ分離可能なクッション板２として、１種類のものだけを用いればよい。したがって、上記構成によれば、クッション板２の管理が容易であり、取り扱い易いものとなる。
【００４９】
椅子Ａにおいては、座部１１および背もたれ部１３に対するクッション板２の取り付けは、座部１１および背もたれ部１３にそれぞれ形成された複数ずつの貫通孔１１ｂ，１３２ａに複数の突出部２ｄを嵌挿することによって行う。このため、クッション板２の着脱は容易に行うことができるとともに、座部１１および背もたれ部１３に対するクッション板２の位置決めについても適確に行うことができる。
【００５０】
また、上記構成の椅子Ａによれば、クッション板２を椅子本体１から取り外した状態で使用することもできる。この場合、座部１１および背もたれ部１３の複数ずつの貫通孔１１ｂ，１３２ａを規則的に配置しておくことにより、デザイン性を高めることができ、見栄えを良くすることにも資する。
【００５１】
本実施形態の椅子Ａにおいては、座部１１および背もたれ部１３における複数ずつの貫通孔１１ｂ，１３２ａは同様の配置とされている一方、クッション板２は、突出部２ｄが形成された下面２ｂとは反対側の上面２ａにおいて貫通孔１１ｂ，１３２ａと同様の配置とされた複数の凹部２ｃが形成されており、突出部２ｄは、それぞれ、複数の凹部２ｃのいずれかと同軸状に形成されている。クッション板２を取り付ける際には、クッション板２における突出部２ｄが形成された下面２ｂは奥側に位置することにより、突出部２ｄや貫通孔１１ｂ，１３２ａは視認し辛くなる。これに対し、上記構成によれば、クッション板２の手前側の上面２ａに形成された複数の凹部２ｃが座部１１または背もたれ部１３の複数の貫通孔１１ｂ，１３２ａに重なり合うようにクッション板２を座部１１または背もたれ部１３に近接させると、突出部２ｄを貫通孔１１ｂ，１３２ａに嵌挿させることができる。したがって、かかる構成によれば、座部１１または背もたれ部１３にクッション板２を取り付ける際の位置合わせがより容易になる。
【００５２】
また、クッション板２は、座部１１および背もたれ部１３のいずれに対しても、９０度回転変位した状態ごとに取り付け可能となっている。これにより、座部１１または背もたれ部１３にクッション板２を取り付ける際の位置合わせを迅速に行うことができ、クッション板２の取り付けをより簡単に行うことができる。
【００５３】
本実施形態の椅子Ａにおいては、テーブル３が着脱可能に取り付けられており、上述したように、このテーブル３は、使用位置と不使用位置との間を回動可能となっている。このため、たとえば、会議や講習会などにおいて椅子Ａを用いる場合には、テーブル３を座部１１の前方に位置させておくことにより、テーブル３上に資料を置いたり、あるいはテーブル３を用いて筆記作業を行うことが可能であり、広範な使用用途が期待できる。また、利用者が椅子Ａから離れる際には、テーブル３（プレート部３１）を座部１１の前方から退避した不使用位置にまで回動させておくことにより、支障なく離席ないし着席することができる。テーブル３についての他の利点は、テーブル３の構成および回動動作の説明において上述したとおりである。なお、テーブル３は、必要なときに椅子本体１に装着して使用すればよい。不要時にはテーブル３を装着しない態様で椅子本体１を使用することができる。
【００５４】
以上、本発明の具体的な実施形態を説明したが、本発明はこれに限定されるものではなく、発明の思想から逸脱しない範囲内で種々な変更が可能である。本発明に係る椅子の各部の具体的な形状や材質なども、上記実施形態に限定されるものではない。
【図面の簡単な説明】
【００５５】
【図１】本発明に係る椅子の一例を示す全体斜視図である。
【図２】図１に示す椅子の平面図である。
【図３】図１に示す椅子の正面図である。
【図４】図３のＩＶ−ＩＶ線に沿う断面図である。
【図５】椅子本体の斜視図である。
【図６】椅子本体を積み重ねた状態を示す側面図である。
【図７】クッション板の一例を示し、（ａ）は平面図、（ｂ）は（ａ）のＶＩＩｂ−ＶＩＩｂ線に沿う断面図、（ｃ）は底面図である。
【図８】テーブルが使用位置にある状態を示す要部底面図である。
【図９】テーブルが使用位置にある状態を示し、（ａ）は要部平面図、（ｂ）は要部縦断面図である。
【図１０】テーブルが回動途中にある状態を示し、（ａ）は要部平面図、（ｂ）は要部縦断面図である。
【図１１】テーブルが不使用位置にある状態を示し、（ａ）は要部平面図、（ｂ）は要部縦断面図である。
【図１２】図１に示す椅子の平面図であり、テーブルが不使用位置にある状態を示す。
【符号の説明】
【００５６】
Ａ        椅子
Ｏ１      垂直軸
１        椅子本体
１１      座部
１１ｂ    貫通孔（座部の）
１２      脚部
１３      背もたれ部
１３２ａ  貫通孔（背もたれ部の）
１４      肘掛け部
１４ａ    開口（第１の開口）
１４ｂ    開口（第２の開口）
２        クッション板
２ｃ      凹部
２ｄ      突出部
２ｅ      鍔部
３        テーブル
３２      延出片
３３      延出片
３３１ａ  水平領域（回動許容部）
３３２ｂ  内側部分（回動規制部）
【図１】
2010142444.tif 000003
【図２】
2010142444.tif 000004
【図３】
2010142444.tif 000005
【図４】
2010142444.tif 000006
【図５】
2010142444.tif 000007
【図６】
2010142444.tif 000008
【図７】
2010142444.tif 000009
【図８】
2010142444.tif 000010
【図９】
2010142444.tif 000011
【図１０】
2010142444.tif 000012
【図１１】
2010142444.tif 000013
【図１２】
2010142444.tif 000014